(57)【要約】  移動データ装置（２２）を管理する中間システム（２０）が開示されている。移動データ装置（２２）にアクセスする中間システム（２０）およびそれを実行する方法により、移動データ装置（２２）と接続された移動ネットワーク（２１）上のデータ要求者（２４）は、それらの移動データ装置（２２）のＭＳＩＳＤＮまたは移動データ装置識別名を知ることなしにかつそれら移動データ装置の利用可能性を個々にモニターすることなしに、それらの移動データ装置（２２）から内容にアクセスできる。
2007527639.tif 000002
【特許請求の範囲】
【請求項１】
ネットワークに接続された複数の移動データ装置へのアクセスを中間システムを使って管理する方法であって、
（ａ）それぞれデータを提供すべく中間システムと通信している複数の移動データ装置を登録し、
（ｂ）中間システム中の利用可能移動データ装置のリストを発生し、
（ｃ）データ要求者からのデータ要求を受信し、
（ｄ）データ応答を提供する
ステップを含んでなることを特徴とする管理方法。
【請求項２】
ステップ（ａ）がさらに
（ｉ）複数の移動データ装置の登録データに進入し、
（ｉｉ）これら複数の移動データ装置の登録データを確認し、
（ｉｉｉ）これら複数の移動データ装置を利用可能移動データ装置のリストに加えるステップを含んでなることを特徴とする請求項１に記載の方法。
【請求項３】
前記のステップ（ｉ）がオンライン形態を有することによりインターネットを介して行われることを特徴とする請求項２に記載の方法。
【請求項４】
前記のステップ（ｉ）がＷＡＰ型形態を使って移動ネットワークを介して行われることを特徴とする請求項２に記載の方法。
【請求項５】
前記のステップ（ｉ）がインタラクティブＳＭＳを使って移動ネットワークを介して行われることを特徴とする請求項２に記載の方法。
【請求項６】
登録データが各複数の移動データ装置の各移動データ装置識別名に割り当てられた特有の名前を含んでいることを特徴とする請求項２に記載の方法。
【請求項７】
前記の移動データ装置識別名が移動データ装置のＭＳＩＤＳＮまたはＩＭＥＩまたはＩＰアドレスを含んでいることを特徴とする請求項６に記載の方法。
【請求項８】
登録データがさらに複数の移動データ装置により提供されたデータの内容記載を含んでいることを特徴とする請求項２に記載の方法。
【請求項９】
登録データがさらに複数の移動データ装置により提供されたデータの内容カテゴリーを含んでいることを特徴とする請求項２に記載の方法。
【請求項１０】
登録データがさらに特定の移動データ装置へのアクセス権利を有した認可データ要求者のアクセスリストを含んでおり、該アクセスリストが認可データ要求者のＭＳＩＳＤＮ、ｅメールアドレスまたは特有なデータ要求者識別名を含んでいることを特徴とする請求項２に記載の方法。
【請求項１１】
前記のステップ（ｉｉ）がさらに登録データを使って複数の移動データ装置との通信を確立するテストを行うことを含んでいることを特徴とする請求項２に記載の方法。
【請求項１２】
前記のステップ（ｂ）がさらに
（ｉ）複数の移動データ装置の利用可能性をチェックし、
（ｉｉ）利用可能移動データ装置のリストを更新する
ステップを含んでいることを特徴とする請求項１に記載の方法。
【請求項１３】
前記のステップ（ｃ）がさらに
（ｉ）データ要求者から利用可能移動データ装置についての要求を受信し、
（ｉｉ）データ要求者のアクセス権利を判定し、
（ｉｉｉ）データ要求者に利用可能な関連する移動データ装置を探し出し、
（ｉｖ）データ要求者に関連移動データ装置のリストを送信する
ステップを含んでいることを特徴とする請求項１に記載の方法。
【請求項１４】
前記のステップ（ｃ）がさらに
（ｉ）データ要求者による特定の移動データ装置からの内容要求を受信し、
（ｉｉ）特定の移動データ装置のＭＳＩＳＤＮを判定し、
（ｉｉｉ）データ要求者のアクセス権利と特定の移動データ装置の接続資格とを判定し、
（ｉｖ）特定の移動データ装置からの内容への要求をロギング（ｌｏｇｇｉｎｇ）する
ステップを含んでいることを特徴とする請求項１に記載の方法。
【請求項１５】
ステップ（ｃ）がさらに
（ｖ）要求された内容を含んだ特定の移動データ装置からの応答を受信して利用可能移動データ装置のリストを選択的に更新し、
（ｖｉ）特定の移動データ装置からの応答をロギングしてデータ要求者に要求された内容を送信する
ステップを含んでいることを特徴とする請求項１４に記載の方法。
【請求項１６】
ステップ（ｃ）がさらに
（ｖ）要求を特定の移動データ装置に送信し、
（ｖｉ）特定の移動データ装置によりネットワークを介して要求内容をデータ要求者に送信する
ステップを含んでいることを特徴とする請求項１４に記載の方法。
【請求項１７】
ステップ（ｃ）がさらに
（ｉ）内容カテゴリーからデータ要求者による内容についての要求を受信し、
（ｉｉ）該内容カテゴリーを有したいずれかの移動データ装置を選択し、
（ｉｉｉ）該データ要求者のアクセス権利と移動データ装置の接続資格とを判定して、
（ｉｖ）特定の移動データ装置からの内容についての要求をロギングする
ステップを含んでいることを特徴とする請求項１に記載の方法。
【請求項１８】
ステップ（ｄ）がデータ要求者からのデータ要求により開始されることを特徴とする請求項１３、１４に記載の方法。
【請求項１９】
ステップ（ｄ）がタイマー型イベントにより開始されることを特徴とする請求項１３、１４に記載の方法。
【請求項２０】
ステップ（ｄ）が運動検知、温度変化、湿度変化、カウント変化などの外部刺激により開始されることを特徴とする請求項１３、１４に記載の方法。
【請求項２１】
ネットワークに接続された複数の移動データ装置へのアクセスを管理する中間システムであって、それぞれがデータを提供するための複数の移動データ装置を登録しかつネットワークを介して中間システムと通信する登録手段と、中間システム中の利用可能移動データ装置のリストを発生する発生手段と、データ要求者からのデータ要求を受信する受信手段と、データ応答を提供する提供手段とを含んでいることを特徴とする中間システム。
【請求項２２】
登録手段が複数の移動データ装置の登録データを入力する入力手段と、複数の移動データ装置の登録データを確認する確認手段と、複数の移動データ装置を利用可能移動データ装置のリストに追加する追加手段を含んでいることを特徴とする請求項２１に記載の中間システム。
【請求項２３】
確認手段が複数の移動データ装置の利用可能性をチェックするチェック手段と、利用可能移動データ装置のリストを更新する更新手段とを含んでいることを特徴とする請求項２１に記載の中間システム。
【請求項２４】
受信手段が利用可能移動データ装置への要求または特定の移動データ装置からの内容への要求を受信することを特徴とする請求項２１に記載の中間システム。
【発明の詳細な説明】
【技術分野】
【０００１】
この発明は移動データ装置のための中間システムに関するものであり、特に移動または固定ネットワーク上で内容要求者が中間システムを介して移動データ装置にアクセスすることを可能とする改良されたアクセス方法論とシステムに関するものである。該移動データ装置とは移動カメラ、移動測定スキャン装置その他の移動内容装置を含むものである。
【背景技術】
【０００２】
移動通信ネットワークにおける最近の進歩は移動装置使用者に利用可能な帯域の増加を帰してきた。そのような移動装置の古典的な例としては我々の日常生活における必須の機器となった移動電話がある。帯域の増加と共に、今や移動装置使用者はデータ送信・受信の目的で装置を使用することが可能である。例えば画像、音声およびビデオなどのデータである。すでにＰＣおよび他の通信装置は時にはそのようなデータにアクセスするのに使われている。
【０００３】
現在、新しいクラスの移動データ装置が現れており、移動ネットワーク上で操作可能であり、かつ移動ネットワークを介して送られる要求内容に応答することができる。そのような移動データ装置はいかなる数のデータ収集装置をも有することができ、オーディオ、ビデオ、環境温度、明るさ、化学物質の有無、他の環境要因その他のデータ内容などのデータ要求を扱うことができるものである。
【０００４】
現在、これらの移動データ装置にあっては、要求者が移動データ装置のＭｏｂｉｌｅ  Ｓｔａｔｉｏｎ  Ｉｎｔｅｒｎａｔｉｏｎａｌ  Ｓｕｂｓｃｒｉｂｅｒ  Ｄｅｖｉｃｅ  Ｎｕｍｂｅｒ（ＭＳＩＳＤＮ）またはしばしば「移動電話番号」と呼ばれるものに送られるべき要求を送る必要がある。ついでそれらの移動データ装置は移動データ装置が渡す内容にアクセスすることが要求者に認可されているか否かを判定する。移動データ装置は要求者の移動装置のＭＳＩＳＤＮをチェックし、認可ＭＳＩＳＤＮを含んだ検索テーブルと比較して要求者が認可されているか否かを判定する。
【０００５】
上記したような方法の欠点は、各移動データ装置のＭＳＩＳＤＮを要求者が知っていることが必要であるということである。この問題は、要求者が移動データ装置のＭＳＩＳＤＮを自分の移動装置（移動電話の電話帳／住所録）に記憶することにより、克服できるだろう。しかし、多数の移動データ装置が利用可能である場合には、これは二次的な解決法である。
【０００６】
この場合には要求者は関心のある各々の移動データ装置ＭＳＩＳＤＮを記憶して、記憶したもののそれぞれに意味のある名前を割り当てなければならない。さらに新たな関心のある追加移動データ装置が利用可能となる毎に記録を更新し続けなければならない。または移動データ装置のＭＳＩＳＤＮがなんらかの理由で変更された場合には移動データ装置が除かれる毎にそうしなければならない。
【０００７】
このシステムの他の欠点は、現在要求者がＳｈｏｒｔ  Ｍｅｓｓａｇｉｎｇ  Ｓｅｒｖｉｃｅ（ＳＭＳ）を使って要求を移動データ装置に送っている点である。これは要求者が固定ライン使用者ではあるが移動ネットワーク使用者ではないときには心配なことである。
【０００８】
上記した方法のさらなる欠点は、移動データ装置が実際に要求の時点で利用可能であるか否かを判定する実際的な方法がないと言う点である。この結果使用者が自分の内容要求が応答され得るか否かを知る方法がないのである。
【０００９】
上記した方法のさらなる欠点は、それら移動データ装置の記憶容量が現在迄のところ制限されてきたという点である。この結果移動データ装置は限られた数の認可要求者ＭＳＩＳＤＮしか記憶できないのである。だから、例を挙げると、移動データ装置が２０個の認可要求者ＭＳＩＳＤＮの容量を持っているとすると、それ以上の要求者ＭＳＩＳＤＮを支持することができず、移動データ装置はたった２０の許された要求者によってしか使用されないのである。
【００１０】
以上に代えて、移動データ装置が制限なしに全ての要求者によりアクセスできるようにする。この二者択一の計画は深刻な制約となる。特に移動データ装置の所有者が該装置を営業目的で使おうと意図すると、所有者は移動データ装置にアクセスする権利について要求者に請求することを目論むし、特定の移動データ装置へのアクセスを移動データ装置にアクセスする権利について支払いをしたか支払いをする意志を表明した者にのみ限定しようと目論む。これはそのような解決法に必須の制約であり、しかもメモリー価格の下落とメモリーの絶え間ない小型化にも拘わらず、移動データ装置における必須のサイズ・記憶・電力の交換条件の故に欠点であり続ける。
【００１１】
この解決方法のさらなる欠点は、移動データ装置のＭＳＩＳＤＮが潜在的な要求者に知られることになり、該要求者はＭＳＩＳＤＮを悪用しようとする点である。例えば移動データ装置のＭＳＩＳＤＮへの要求者の連続的な送信などであり、これにより移動データ装置が他の潜在的要求者に利用不可能となるか、移動データ装置のＭＳＩＳＤＮへの音声コールを作りかつ同様に他の潜在的合法的使用者に移動データ装置を利用不可能とし、他の形態での合法的使用者へのサービス拒絶を作り出し、かつ他での形態の潜在的詐欺を作り出すことになる。
【００１２】
さらなる欠点は、移動ネットワークを介して移動データ装置が要求者に直接応答する点である。管理的分析、マーケット分析のための使用の集中ロギングのための特定の提供がない。かつ移動データ装置の不道徳的・不適切使用の予防策がないのである。
【００１３】
他の欠点は、一般のネットワーク構造はあるネットワーク上の要求者が他のネットワーク上の移動データ装置からのデータを要求することも許さなければ、あるネットワーク上の移動データ装置からの応答を他のネットワーク上の移動データ要求者に送り返すことも許さないという点である。
【００１４】
かくして移動データ装置にアクセスする中間システムを使って従来の方法およびシステムの前記の欠点に対処するための改善したアクセス方法が必要なことは明らかである。
【発明の開示】
【発明が解決しようとする課題】
【００１５】
この発明は中間システムを使ったネットワークへ接続された複数の移動データ装置へのアクセスの管理に関するものである。
【課題を解決するための手段】
【００１６】
この発明の一技術思想はネットワークに接続された複数の移動データ装置への中間システムを使ったアクセスの管理に関するものである。
【００１７】
該方法においては、それぞれがデータを提供しかつ中間システムと通信している複数の移動データ装置を登録し、中間システム中の利用可能移動データ装置のリストを発生し、データ要求者からデータ要求を受信し、かつデータ応答を提供するものである。
【００１８】
この発明の他の技術思想はネットワークに接続された複数の移動データ装置へのアクセスの管理中間システムに関するものである。該中間システムはそれぞれがデータを提供しかつ中間システムと通信している複数の移動データ装置を登録する登録手段と、中間システム中の利用可能移動データ装置のリストを発生する発生手段と、データ要求者からデータ要求を受信する受信手段と、データ応答を提供する手段とを含んでなるものである。
【発明を実施するための最良の形態】
【００１９】
以下前記の問題に対処するべくネットワークに接続された複数の移動データ装置へのアクセスを中間システムを用いて管理するシステムと方法とを説明する。
【実施例】
【００２０】
この発明の一実施例においては、図２に示すように、この発明の方法１００を実行する管理システムを図１により説明する。
【００２１】
図２において、この発明のシステムはネットワーク２１、中間システム２０、複数のデータ要求者２４および複数の移動データ装置２２を含んでいる。
【００２２】
複数のデータ要求者２４、複数の移動データ装置２２および中間システム２０はネットワーク２１を介して相互に接続されている。ネットワーク２１は移動電話ネットワークであって、周知の移動電話システム上で動作することができる。例を挙げるとＧＳＭ、ＧＰＲＳ、ＵＭＴＳおよびＷＣＤＭＡなどである。
【００２３】
１個のネットワークだけでなく代りのネットワーク３１もあり、同様に複数の代替データ要求者３４、複数の代替移動データ装置２４および代替中間システム３０を相互接続している。この発明は個数および種々の異なるプロトコルまたは送信方法を使う異なる電気通信プロバイダーなどにより制約されるものではない。
【００２４】
代替ネットワークシステム３１はネットワークシステム２１と直接通信であってもよくインターネットなどの共有ネットワークを介しての通信であってもよい。また代替ネットワークシステム３１はそれぞれの中間システム２０、３０を介してネットワークシステム２１と通信してもよい。代替中間システム３０はネットワークシステム２０と直接通信でもよくまたはインターネットなどの共有ネットワークを介して通信してもよい。
【００２５】
複数の移動データ装置２２、第１の複数のデータ要求者２４、中間システム２０およびネットワーク２１間の相互作用はネットワーク３１およびその相互接続装置にも適用できる。
【００２６】
複数の移動データ装置２２はそこからデータが始まるものである。これらの移動データ装置２２は独立に作用してもよくネットワーク２１に接続された中間システム２０の制御の下に作用してもよい。複数のデータ要求者２４は中間システム２０を介して第１の複数の移動データ装置２２からのデータにアクセスするのみである。
【００２７】
複数の移動データ装置２２はネットワーク２１を介して信号を送受信できる。移動データ装置２２は移動データ装置２２に中間システム２０と通信させるべく特定のソフトまたは他の順応を要求することができる。
【００２８】
図１において、この発明の方法１００は複数のデータ要求者２４による複数の移動データ装置２２へのアクセスを管理するものである。この方法１００はステップ１０２において始まり、ここで複数の移動データ装置２２が中間システム２０にまず登録される。
【００２９】
つぎにステップ１０４において利用可能な移動データ装置２２のリストが中間システム２０により発生される。このリスト中に含まれる移動データ装置２２はデータを提供するためのものである。
【００３０】
ステップ１０４に続いて、ステップ１０６において中間システム２０によるデータ要求の受信が起きる。データ要求に応答して、中間システム２０はデータ応答をステップ１０８においてデータ要求者２４に提供する。データ要求はデータ要求者２４により開始されるかまたはタイマー型イベントなどのイベントにより開始される。データ要求は他の外部刺激によっても開始できる。例えば運動検知、温度変化、湿度変化、カウント変化および装置または制御器からの入力トリガーなどである。
【００３１】
図３において、移動データ装置を登録するステップ１０２はさらにステップ１２０における移動データ装置２２の登録データの進入によっても開始する。
【００３２】
この登録はオンライン形態を有することによりインターネットを介して行われ、そこでは特有の名前が各移動データ装置２２に割り当てられ、移動データ装置のＭＳＩＳＤＮなどの移動データ装置識別名がこの特有な名前に割り当てられる。このＭＳＩＳＤＮは移動データ装置の識別名の一例としてこの明細書では使われる。これに代えて、登録はＷＡＰを介してまたはシステム管理者によりまたは資格のある作業員によりクライアントサーバネットワークを介して行なわれてもよい。さらにこれに代わるものとして、移動データ装置２２に割り当てられた移動データ装置識別名Ｉｎｔｅｒｎａｔｉｏｎａｌ  Ｍｏｂｉｌｅ  Ｅｑｕｉｐｍｅｎｔ  Ｉｄｅｎｔｉｆｉｅｒ（ＩＭＥＩ）番号または移動データ装置２２のＩＰアドレスであってもよい。
【００３３】
移動データ装置２２の登録データに進入すると、中間システム２０がステップ１２２において、登録データを使って移動データ装置２２との通信を確立するテストをすることにより、登録データの確認を行なう。この確認はさらに移動データ装置２２のＭＳＩＳＤＮまたはＩＭＥＩまたはＩＰアドレスが有効な番号またはフォーマットであるか否かの判定を含んでいる。
【００３４】
ステップ１２２におけるように一旦登録データが確認されると、移動データ装置２２がステップ１２４において利用可能な移動データ装置２２のリストに追加されて、中間システム２０中のデータベース中に移動データ装置２２の登録データが記憶される。ステップ１２２におけるデータの確認が不可能な場合には、確認は選択的にスキップされてステップ１２４におけるように移動データ装置２２が利用可能移動データ装置２２のリストに追加される。
【００３５】
ステップ１２０で移動データ装置２２の登録データに進入する際に、移動データ装置２２により提供されたデータの内容記載および内容カテゴリーも登録される。内容カテゴリーはついで各移動データ装置により提供されたデータのタイプの識別に使うこともできる。
【００３６】
登録データはさらにアクセスリストを含むことができ、該リストは特定の移動データ装置２２へのアクセス権利を有した認可データ要求者２４のリストを含んでいる。アクセスリストは認可データ要求者２４のＭＳＩＳＤＮ、ｅメールアドレスまたは特有なデータ要求者識別名を含むこともできる。データ要求者識別名はデータ要求者２４のＩＰアドレスをも含むことができる。
【００３７】
利用可能な移動データ装置のリストは、新たな移動データ装置２２の登録または前に登録された移動データ装置２２の登録データの変更の際に、更新される。ステップ１０４において、利用可能な移動データ装置２２のリストの発生は図４のステップ１３０に示すような移動データ装置２２の利用可能性のチェックも含むことができる。ステップ１３０において、中間システム２０は移動データ装置２２のアクセス可能性を周期的にチェックして、応答に基づいて利用可能な移動データ装置のリストをステップ１３２において更新する。
【００３８】
中間システム２０は自分に利用可能な移動データ装置２２のリストの判定をデータ要求者２４に行なわせるメカニズムを提供する。中間システム２０はステップ１０６においてデータ要求を受信する。これは図５のステップ１４０における利用可能移動装置２０のリストへの要求である。
【００３９】
ステップ１４０で要求を受信すると、中間システム２０はデータ要求者２４のＭＳＩＳＤＮまたはデータ要求者の識別名をチェックすることによりデータ要求者２４のアクセス権利を判定して、ステップ１４４において関連するデータ要求者２４に利用可能な移動データ装置２２のリストを閲覧する。代替中間システム３０によりこのリストはデータ要求者２４に利用可能な代替移動データ装置３２をも含んでいる。中間システム２０はついで、関連する移動データ装置２２のリストをステップ１４６でデータ要求者に種々の方法（例えばＳＭＳを介して）送ることにより、データ要求者２４に応答する。
【００４０】
ステップ１０６において中間システム２０はまたデータ要求者２４からの特定の移動データ装置２２または代替移動データ装置３２からの内容への要求を受信する。図６において、中間システム２０はステップ１５０と同様に移動データ装置２２の内容への要求を受信する。ここで要求はＳＭＳを介してなされかつそこからの内容が望まれる移動データ装置２０に割り当てられた特有の名前を含んでいる。ついで中間システム２０は特有の名前を割り当てられた特定の移動データ装置２２のＭＳＩＳＤＮまたは移動データ装置識別名の判定に進む。
（英文１０頁前段上）
【００４１】
ステップ１５２において、中間システム２０は特定の移動データ装置２２からの内容にアクセスするデータ要求者２４のアクセス権利がどうか判定し、かつ特定の移動データ装置２２の利用可能性を判定する。
【００４２】
データ要求者２４が特定の移動データ装置２２からの内容にアクセスする資格がありかつ特定の移動データ装置２２が内容の通信に利用可能な場合には、中間システム２０は要求をロギングして特定の移動データ装置２２に要求されたデータを取得して要求されたデータをデータ要求者２４に送ることをステップ１５３において指示する。要求されたデータのフォーマットと性質は特定の移動データ装置２２の容量、内容の性質および要求される時間感度により左右される。
【００４３】
中間システム２０はさらに要求データを中間システム２０に送り返すことをステップ１５４で移動データ装置２２に指示し、この場合さらに移動データ装置２２の利用可能性を更新する。ステップ１５５において、管理分析や他の目的のために、中間システム２０はついで移動データ装置２２からの応答をロギングし、さらに要求されたデータをデータ要求者２４に送る。これには内容の性質およびデータ要求者２４の装置容量に応じて最も適切な手段を用いる。特定の内容引渡しメカニズムに属する指示は最初の要求においてデータ要求者２４により送られるか、または中間システム２０中の要求者プロフィール中に記憶される。
【００４４】
中間システム２０が所定の期間内に特定の移動データ装置２２から応答を受信しない場合には、移動データ装置２２がデータ要求を受信するのに利用可能でないと中間システム２０は判定し、利用可能移動データ装置リストから特定の移動データ装置２２を一時的または永久的に除去し、この利用可能性の欠落についてデータ要求者２４に通報する。
【００４５】
移動データ装置のための中間システム２０は、直接データ要求者２４に内容を通信することを特定の移動データ装置２２に指示する。この場合特定の移動データ装置２２から中間システム２０は内容を受信せず、特定の移動データ装置２２からのデータはロギングされず、移動データ装置利用可能性リストの更新は行われない。
【００４６】
移動データ装置のための中間システム２０は、要求された内容を直接特定のデータ要求者２４に送信し、かつ管理分析または他の目的のために要求された内容を移動データ装置のための中間システム２０に送り返すことを特定の移動データ装置２２に指示する。
【００４７】
特定の移動データ装置２２を特定せずにデータ要求者２４は特定の内容カテゴリーまたは記載キーワードに基づいたデータを要求できる。中間システム２０は、データ要求者２４が該カテゴリーまたは特定された記載の内容にアクセスする権利を有しているか否か、を判定する。
【００４８】
一旦中間システム２０が特定のデータ要求者２４が要求される権利を有していると判定すると、中間システム２０はついでデータ要求者２４により要求されたカテゴリーまたは記載の内容を提供できかつデータ要求者２４に利用可能である移動データ装置２２を選択する。これにステップ１５３、１５４および１５５が続く。アクセスが代りのネットワーク３１上の他の代替移動データ装置３２により要求された場合には、中間システム２０はまず代替中間システム３０との通信を確立しついで前記の方法に従わなければならない。代替中間システム３０は最初のデータ要求者２４が接続された中間システム２０の代りに要求を取り扱う。
【００４９】
またデータ要求者２４は多数の移動データ装置２２のいずれかひとつから内容を要求でき、特定の移動データ装置２２の決定は中間システム２０に任せることもできる。中間システム２０はデータ要求者２４に利用可能ないずれかの移動データ装置２２のひとつを選択する。以下ステップ１５３、１５４、１５５に従う。この選択プロセスはランダムにしてもよくまたは代りのアルゴリズムに基づいてもよい。
【００５０】
全ての場合、移動データ装置２２は要求された内容を中間システム２０またはデータ要求者２４にｅメールを介して送ることができる。これに代えて、移動データ装置２２はＳＭＳまたはＷＡＰまたは他のデータ移送形態を介して中間システム２０またはデータ要求者２４へ要求された内容を送ることもできる。
【００５１】
移動データ装置２２はさらにＭＭＳ（マルチメディア・メッセージ・サービス）を利用して要求された内容を中間システム２０またはデータ要求者２４に送ることもできる。移動データ装置２２が中間システム２０またはデータ要求者２４にデータを送るのに使われる詳細なモードは、特定の移動データ装置２２と中間システム２０とに利用可能なデータ移送モードにより、左右される。また特定の移動データ装置２２と特定のデータ要求者２４の容量にも左右される。
【００５２】
代替データ要求者３４、代替移動データ装置３２、代替中間システム３０間の相互作用は上記したものと同じである。代替ネットワーク３１上の代替移動データ装置３２によりアクセスが要求された場合には、中間システム２０はまず代替中間システム３０との通信を確立しついで上記した方法に従わなければならない。代替中間システム３０は最初のデータ要求者２４が接続された中間システム２０の代りに要求を取り扱う。
【００５３】
上記においては、前記した従来技術の欠点を克服すべく、中間システムを使ってネットワークに接続された複数の移動データ装置へのアクセスを管理するシステムと方法とを記載した。しかしその内容に適宜変更を加えることは可能である。
【産業上の利用可能性】
【００５４】
この発明は所謂ＩＴ産業分野において広く利用され得るものである。
【図面の簡単な説明】
【００５５】
【図１】この発明の移動データ装置へのアクセスを管理する方法の流れ図である。
【図２】この発明の移動データ装置へのアクセスを管理するシステムレイアウトを示す図である。
【図３】図１の移動データ装置を登録するステップを示す図である。
【図４】図１の利用可能移動データ装置のリストを発生するステップを示す図である。
【図５】図１のデータ要求を受信するステップを示す図である。
【図６】図１のデータ要求を受信する代替実施例のステップを示す図である。
【符号の説明】
【００５６】
２０：  中間システム
２１、３１：  ネットワーク
２２：  移動データ装置
２４：  データ要求者
【図１】
2007527639.tif 000003
【図２】
2007527639.tif 000004
【図３】
2007527639.tif 000005
【図４】
2007527639.tif 000006
【図５】
2007527639.tif 000007
【図６】
2007527639.tif 000008
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
中間システムを使ってネットワークに接続された複数の移動データ装置へのアクセスを管理する方法であって、
（ａ）それぞれがデータを提供するべくネットワークを介して中間システムと通信している複数の移動データ装置を登録し、
（ｂ）中間システム中の利用可能移動データ装置のリストを発生し、
（ｃ）データ要求者からデータ要求を受信し、
（ｄ）データ応答を提供する
ことを特徴とする方法。
【請求項２】
ステップ（ａ）がさらに
（ｉ）複数の移動データ装置の登録データに進入し、
（ｉｉ）これら複数の移動データ装置の登録データを確認し、
（ｉｉｉ）これら複数の移動データ装置を利用可能移動データ装置のリストに加えるステップを含んでなることを特徴とする請求項１に記載の方法。
【請求項３】
前記のステップ（ｉ）がオンライン形態を有することによりインターネットを介して行われることを特徴とする請求項２に記載の方法。
【請求項４】
前記のステップ（ｉ）がＷＡＰ型形態を使って移動ネットワークを介して行われることを特徴とする請求項２に記載の方法。
【請求項５】
前記のステップ（ｉ）がインタラクティブＳＭＳを使って移動ネットワークを介して行われることを特徴とする請求項２に記載の方法。
【請求項６】
登録データが各複数の移動データ装置の各移動データ装置識別名に割り当てられた特有の名前を含んでいることを特徴とする請求項２に記載の方法。
【請求項７】
前記の移動データ装置識別名が移動データ装置のＭＳＩＤＳＮまたはＩＭＥＩまたはＩＰアドレスを含んでいることを特徴とする請求項６に記載の方法。
【請求項８】
登録データがさらに複数の移動データ装置により提供されたデータの内容記載を含んでいることを特徴とする請求項２に記載の方法。
【請求項９】
登録データがさらに複数の移動データ装置により提供されたデータの内容カテゴリーを含んでいることを特徴とする請求項２に記載の方法。
【請求項１０】
登録データがさらに特定の移動データ装置へのアクセス権利を有した認可データ要求者のアクセスリストを含んでおり、該アクセスリストが認可データ要求者のＭＳＩＳＤＮ、ｅメールアドレスまたは特有なデータ要求者識別名を含んでいることを特徴とする請求項２に記載の方法。
【請求項１１】
前記のステップ（ｉｉ）がさらに登録データを使って複数の移動データ装置との通信を確立するテストを行うことを含んでいることを特徴とする請求項２に記載の方法。
【請求項１２】
前記のステップ（ｂ）がさらに
（ｉ）複数の移動データ装置の利用可能性をチェックし、
（ｉｉ）利用可能移動データ装置のリストを更新する
ステップを含んでいることを特徴とする請求項１に記載の方法。
【請求項１３】
前記のステップ（ｃ）がさらに
（ｉ）データ要求者から利用可能移動データ装置についての要求を受信し、
（ｉｉ）データ要求者のアクセス権利を判定し、
（ｉｉｉ）データ要求者に利用可能な関連する移動データ装置を探し出し、
（ｉｖ）データ要求者に関連移動データ装置のリストを送信する
ステップを含んでいることを特徴とする請求項１に記載の方法。
【請求項１４】
前記のステップ（ｃ）がさらに
（ｉ）データ要求者による特定の移動データ装置からの内容要求を受信し、
（ｉｉ）特定の移動データ装置のＭＳＩＳＤＮを判定し、
（ｉｉｉ）データ要求者のアクセス権利と特定の移動データ装置の接続資格とを判定し、
（ｉｖ）特定の移動データ装置からの内容への要求をロギング（ｌｏｇｇｉｎｇ）する
ステップを含んでいることを特徴とする請求項１に記載の方法。
【請求項１５】
ステップ（ｃ）がさらに
（ｖ）要求された内容を含んだ特定の移動データ装置からの応答を受信して利用可能移動データ装置のリストを選択的に更新し、
（ｖｉ）特定の移動データ装置からの応答をロギングしてデータ要求者に要求された内容を送信する
ステップを含んでいることを特徴とする請求項１４に記載の方法。
【請求項１６】
ステップ（ｃ）がさらに
（ｖ）要求を特定の移動データ装置に送信し、
（ｖｉ）特定の移動データ装置によりネットワークを介して要求内容をデータ要求者に送信する
ステップを含んでいることを特徴とする請求項１４に記載の方法。
【請求項１７】
ステップ（ｃ）がさらに
（ｉ）内容カテゴリーからデータ要求者による内容についての要求を受信し、
（ｉｉ）該内容カテゴリーを有したいずれかの移動データ装置を選択し、
（ｉｉｉ）該データ要求者のアクセス権利と移動データ装置の接続資格とを判定して、
（ｉｖ）特定の移動データ装置からの内容についての要求をロギングする
ステップを含んでいることを特徴とする請求項１に記載の方法。
【請求項１８】
ステップ（ｄ）がデータ要求者からのデータ要求により開始されることを特徴とする請求項１３、１４に記載の方法。
【請求項１９】
ステップ（ｄ）がタイマー型イベントにより開始されることを特徴とする請求項１３、１４に記載の方法。
【請求項２０】
ステップ（ｄ）が運動検知、温度変化、湿度変化、カウント変化などの外部刺激により開始されることを特徴とする請求項１３、１４に記載の方法。
【請求項２１】
ネットワークに接続された複数の移動データ装置へのアクセスを管理する中間システムであって、それぞれがデータを提供するための複数の移動データ装置を登録しかつネットワークを介して中間システムと通信する登録手段と、中間システム中の利用可能移動データ装置のリストを発生する発生手段と、データ要求者からのデータ要求を受信する受信手段と、データ応答を提供する提供手段とを含んでいることを特徴とする中間システム。
【請求項２２】
登録手段が複数の移動データ装置の登録データを入力する入力手段と、複数の移動データ装置の登録データを確認する確認手段と、複数の移動データ装置を利用可能移動データ装置のリストに追加する追加手段を含んでいることを特徴とする請求項２１に記載の中間システム。
【請求項２３】
確認手段が複数の移動データ装置の利用可能性をチェックするチェック手段と、利用可能移動データ装置のリストを更新する更新手段とを含んでいることを特徴とする請求項２１に記載の中間システム。
【請求項２４】
受信手段が利用可能移動データ装置への要求または特定の移動データ装置からの内容への要求を受信することを特徴とする請求項２１に記載の中間システム。
【国際調査報告】
2007527639.tif 000009
2007527639.tif 000010